(57)【要約】【課題】着脱自在なユニット体に用紙搬送路を形成するとともに前記用紙搬送路で用紙の検出を行う構成において、信頼性の向上を図るとともに、装置の大型化を抑える。【解決手段】プリンター１は、記録ヘッド３０を備えた装置本体１Ａと、記録ヘッド３０の側から送られる用紙を反転させる反転搬送路Ｒ３を形成するとともに装置本体１Ａに対して着脱可能に構成された両面ユニット１２と、を備える。両面ユニット１２が装置本体１Ａに装着された状態において、両面ユニット１２内の用紙を検出する光学センサー２１は、両面ユニット１２の上部に設けられた開口部１７ｂを介して、両面ユニット１２内の用紙を検出する。【選択図】図５
2014208428.tif 000002
【特許請求の範囲】
【請求項１】
媒体に記録を行う記録ヘッドを備えた装置本体と、
媒体を搬送する媒体搬送路を形成するとともに前記装置本体に対して着脱可能に構成されたユニット体と、
前記ユニット体が前記装置本体に装着された状態において、前記ユニット体に設けられた開口部を介して前記媒体搬送路を通過する媒体を検出する、前記装置本体に設けられた第１検出手段と、
を備えた記録装置。
【請求項２】
請求項１に記載の記録装置において、前記媒体搬送路は、前記記録ヘッドの側から送られる媒体を反転させる反転搬送路を含み、
前記開口部は、前記ユニット体の上部に設けられている、
ことを特徴とする記録装置。
【請求項３】
請求項１または２に記載の記録装置において、前記ユニット体は、給送前の媒体の少なくとも一部を支持する媒体支持面を備え、
前記ユニット体が前記装置本体に装着された状態において、前記媒体支持面を介して前記記録ヘッドの側へと供給される媒体の供給経路が形成される、
ことを特徴とする記録装置。
【請求項４】
請求項３に記載の記録装置において、前記供給経路は、前記反転搬送路に合流するように形成され、
前記第１検出手段は、前記供給経路と前記反転搬送路との合流点の下流側に設けられる
ことを特徴とする記録装置。
【請求項５】
請求項３または４のいずれか一項に記載の記録装置において、前記第１検出手段は、前記媒体支持面を介して供給される媒体の供給経路において最も上流側に位置する、媒体をニップするローラー対に対して媒体給送方向上流側の位置において媒体を検出する、
ことを特徴とする記録装置。
【請求項６】
請求項１から５のいずれか一項に記載の記録装置において、前記装置本体において前記ユニット体を装着する装着領域に向けて、前記第１検出手段の構成部位の少なくとも一部が突出しており、
前記ユニット体の上部には、当該ユニット体の着脱方向に沿って、前記第１検出手段の前記突出した部位を受け入れる溝が形成されている、
ことを特徴とする記録装置。
【請求項７】
請求項１から６のいずれか一項に記載の記録装置において、前記装置本体の上部には、画像読取装置が設けられ、
前記第１検出手段の信号線は、前記画像読取装置と前記装置本体とを電気的に接続する接続ケーブルの配線経路を利用して配線される、
ことを特徴とする記録装置。
【請求項８】
請求項１から７のいずれか一項に記載の記録装置において、前記反転搬送路と前記供給経路との合流点よりも前記供給経路の上流側に、前記供給経路を通過する媒体を検出する第２検出手段を装置本体に備える、
ことを特徴とする記録装置。
【請求項９】
請求項１から８のいずれか一項に記載の記録装置において、前記第１検出手段は、前記開口部に対して検出光を放射する発光部及び前記開口部内からの反射光を受光する受光部を備えた光学センサーである、
ことを特徴とする記録装置。
【請求項１０】
請求項１から９のいずれか一項に記載の記録装置において、前記開口部を通過する媒体を前記開口部の外側に向けて付勢する付勢部を備える、
ことを特徴とする記録装置。
【発明の詳細な説明】
【技術分野】
【０００１】
本発明は、ファクシミリやプリンター等に代表される記録装置に関する。
【背景技術】
【０００２】
ファクシミリやプリンターなどに代表される記録装置においては、媒体の一例としての記録用紙を反転させる反転搬送路を有し、記録の行われた記録用紙を反転させて、第１面（おもて面）に加えて第２面（うら面）に記録を可能なものがある。また、特許文献１に記載の記録装置は、記録用紙を反転させる反転経路を形成する反転ローラーが、記録装置本体に対し着脱可能な湾曲反転ユニットに設けられ、この湾曲反転ユニットを取り外すことで、装置内部の用紙搬送路が露呈する様に構成されている。
【先行技術文献】
【特許文献】
【０００３】
【特許文献１】特開２０１２−２４０８１３号公報
【発明の概要】
【発明が解決しようとする課題】
【０００４】
ところで記録用紙の搬送を制御する観点において用紙搬送路の適宜の位置に用紙先端或いは後端の通過を検出する検出手段を設けることは従来から行われている。そして上記特許文献１記載の記録装置に開示された湾曲反転ユニットでの用紙通過を検出する必要性が生じる場合もある。
【０００５】
この場合、検出手段を湾曲反転ユニットに設けると、記録装置本体側の制御手段と検出手段との間で電気信号のやりとりを行う為、着脱自在な湾曲反転ユニットと、装置本体との間で電気的な接点を設ける必要がある。しかしながら湾曲反転ユニットの着脱を繰り返すにつれて前記接点に劣化が生じ、記録装置本体側の制御手段と検出手段との間で電気信号が正しく授受できなくなる虞がある。
【０００６】
また、湾曲反転ユニットの上部に検出手段を設ける場合には、検出手段の保護の為に、検出手段を覆うカバーを設けることが好ましいが、この様なカバーを設けると、装置本体における湾曲反転ユニットの装着領域上部にカバーを受け入れる領域が必要となる。一方、記録装置には記録機構を備える装置本体の上部にスキャナーが設けられ、即ち所謂複合機として構成される場合があるが、この様な場合には上記カバーを受け入れる領域とスキャナー設置領域とが干渉し、装置の大型化を招くこととなる。
【０００７】
そこで本発明はこの様な状況に鑑みなされたものであり、その目的は、着脱自在なユニット体に用紙搬送路を形成するとともに前記用紙搬送路で用紙の検出を行う構成において、信頼性の向上を図るとともに、装置の大型化を抑えることにある。
【課題を解決するための手段】
【０００８】
上記課題を解決する為の、本発明の第１の態様に係る記録装置は、媒体に記録を行う記録ヘッドを備えた装置本体と、媒体を搬送する媒体搬送路を形成するとともに前記装置本体に対して着脱可能に構成されたユニット体と、前記ユニット体が前記装置本体に装着された状態において、前記ユニット体に設けられた開口部を介して前記媒体搬送路を通過する媒体を検出する、前記装置本体に設けられた第１検出手段とを備えたことを特徴とする。
【０００９】
本態様によれば、媒体搬送路を形成するとともに記録装置の本体に対して着脱可能に構成されたユニット体には開口部が設けられ、記録装置の本体には媒体の通過を検出する検出手段が設けられ、当該検出手段第１検出手段が前記開口部を介して前記媒体搬送路を通過する媒体を検出するので、前記ユニット体と前記装置本体との間で電気的な接点を設ける必要がなく、装置の信頼性を向上させることができる。
【００１０】
加えて検出手段第１検出手段が装置本体側に設けられているので、ユニット体の側に検出手段第１検出手段を設ける為のスペースが必要ない。このため、特にユニット体の上部に検出手段第１検出手段を設ける構成に比して、装置本体側の高さ方向寸法が大きくなることを回避することができる。
【００１１】
本発明の第２の態様は、第１の態様において、前記媒体搬送路は、前記記録ヘッドの側から送られる媒体を反転させる反転搬送路を含み、前記開口部は、前記ユニット体の上部に設けられていることを特徴とする。
【００１２】
本態様によれば、前記ユニット体が、前記記録ヘッドの側から送られる媒体を反転させる反転搬送路を形成し、前記開口部が前記ユニット体の上部に設けられる構成において、上記第１の態様の作用効果が得られる。
【００１３】
本発明の第３の態様は、第１のまたは第２の態様において、前記ユニット体は、給送前の媒体の少なくとも一部を支持する媒体支持面を備え、前記ユニット体が前記装置本体に装着された状態において、前記媒体支持面を介して前記記録ヘッドの側へと供給される媒体の供給経路が形成されることを特徴とする。
【００１４】
本態様によれば、前記ユニット体は、給送前の媒体の少なくとも一部を支持する媒体支持面を備え、前記ユニット体が前記装置本体に装着された状態において、前記媒体支持面を介して前記記録ヘッドの側へと供給される媒体の供給経路が形成されるので、前記ユニット体を取り外すことにより当該媒体の供給経路も露呈し、ジャム処理作業が容易となる。
【００１５】
本発明の第４の態様は、第３の態様において、前記供給経路は、前記反転搬送路に合流するように形成され、前記第１検出手段は、前記供給経路と前記反転搬送路との合流点の下流側に設けられることを特徴とする。
【００１６】
本態様によれば、媒体支持面から挿入される用紙の給送経路として反転搬送路を利用することができ、記録装置の大型化を防ぐことが可能である。また、第１検出手段は、供給経路からの媒体の通過を検出することも可能である。
【００１７】
本発明の第４第５の態様は、第３または第４の態様のいずれかにおいて、前記検出手段第１検出手段は、前記媒体支持面を介して供給される媒体の供給経路において最も上流側に位置する、媒体をニップするローラー対に対して媒体給送方向上流側の位置において媒体を検出することを特徴とする。
【００１８】
本態様によれば、前記検出手段第１検出手段は、前記媒体支持面を介して供給される媒体の供給経路において最も上流側に位置する、媒体をニップするローラー対に対して媒体給送方向上流側の位置において媒体を検出するので、コシの弱い薄手の媒体が供給された場合でも、確実に検出することができる。即ち、コシの弱い薄手の媒体はローラー対によるニップ位置を通過できず、その結果媒体を供給できない虞があるが、本態様によれば、その様な虞がない。そして例えば、媒体の通過を検出した場合に上記ローラー対を駆動すれば、コシの弱い薄手の媒体でも確実に記録位置に送ることができる。
【００１９】
本発明の第５の態様は、第１から第４の態様のいずれかにおいて、前記装置本体において前記ユニット体を装着する装着領域に向けて、前記検出手段第１検出手段の構成部位の少なくとも一部が突出しており、前記ユニット体の上部には、当該ユニット体の着脱方向に沿って、前記検出手段第１検出手段の前記突出した部位を受け入れる溝が形成されていることを特徴とする。
【００２０】
本態様によれば、前記検出手段第１検出手段の構成部位の少なくとも一部が前記ユニット体の装着領域に向けて突出しており、前記ユニット体の上部には前記突出した部位を受け入れる溝が形成されているので、前記ユニット体を装着する際に、前記突出した部位と前記溝との係合が前記ユニット体の装着を案内するように作用する。これにより、前記ユニット体を適切な位置に装着することができる。
【００２１】
本発明の第６の態様は、第１から第５の態様のいずれかにおいて、前記装置本体の上部には、画像読取装置が設けられ、前記検出手段第１検出手段の信号線は、前記画像読取装置と前記装置本体とを電気的に接続する接続ケーブルの配線経路を利用して配線されることを特徴とする。
【００２２】
本態様によれば、前記検出手段第１検出手段の信号線は、前記画像読取装置と前記装置本体とを電気的に接続する接続ケーブルの配線経路を利用して配線されるので、前記検出手段第１検出手段の信号線を配線するための専用の経路を設ける必要がなく、装置構成の複雑化を回避できるとともに、装置の組立作業性が向上する。
【００２３】
本発明の第７の態様は、第１から第６の態様のいずれかにおいて、前記検出手段第１検出手段は、前記開口部に対して検出光を放射する発光部及び前記開口部内からの反射光を受光する受光部を備えた光学センサーであることを特徴とする。
【００２４】
本態様によれば、前記検出手段第１検出手段は、発光部と受光部とを備えて成る光学センサーであり、即ち非接触式の検出手段第１検出手段であるので、前記ユニット体の着脱時に前記検出手段第１検出手段を破損させる虞がない。
【００２５】
本発明の第８の態様は、第１から第７のいずれか一項に記載の記録装置において、前記反転搬送路と前記供給経路との合流点よりも前記供給経路の上流側に、前記供給経路を通過する媒体を検出する第２検出手段を装置本体に備えることを特徴とする。
【００２６】
本態様によれば、トレイから給紙された用紙が下流側に搬送される際に、ユーザーが誤って手差し給紙経路から用紙を挿入することがあった場合に、ユーザーに注意を促したり、反転搬送路を構成する中間ローラーの回転を止めたり、あるいはその両方を実行することが可能である。その結果、用紙Ｐと用紙Ｑが衝突による紙ジャムを防いだり、重送することを防いだりすることができる。加えて、前記ユニット体と前記装置本体との間で電気的な接点を設ける必要がなく、装置の信頼性を向上させることができる。
【００２７】
本発明の第８の態様は、第１から第７の態様のいずれかにおいて、前記開口部を通過する媒体を前記開口部の外側に向けて付勢する付勢部を備えることを特徴とする。
本態様によれば、前記開口部を通過する媒体を前記開口部の外側に向けて付勢する付勢部を備えるので、前記開口部に対する媒体の通過位置がばらつき難く、前記開口部の位置を通過する媒体を前記検出手段第１検出手段によって適切に検出することができる。
【図面の簡単な説明】
【００２８】
【図１】本発明に係るプリンターを前方側から見た外観斜視図。
【図２】本発明に係るプリンターを前方側から見た外観斜視図。
【図３】本発明に係るプリンターの用紙搬送経路を示す側断面図。
【図４】本発明に係るプリンターの用紙搬送経路を示す側断面図。
【図５】本発明に係るプリンターの用紙搬送経路を示す側断面図。
【図６】本発明に係るプリンターを後方側から見た外観斜視図。
【図７】本発明に係るプリンターの両面ユニットを取り外して後方側から見た外観斜視図。
【図８】光学センサー取付部位の斜視図。
【図９】光学センサー取付部位の斜視図。
【図１０】スキャナーの上部筐体を取り外してケーブルの配線経路を上方から見た斜視図。
【図１１】両面ユニットの斜視図。
【図１２】両面ユニットに形成された溝部及び開口部の斜視図。
【図１３】両面ユニットに形成された溝部及び開口部の斜視図。
【図１４】両面ユニットの側断面図。
【図１５】制御系統の一部を示すブロック図。
【図１６】両面ユニットに形成された溝部及び開口部の斜視図。
【図１７】他の実施形態に係るプリンターを模式的に示した斜視図。
【図１８】他の実施形態に係るプリンターの用紙搬送経路を示す側断面図。
【発明を実施するための形態】
【００２９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００３０】
図１及び図２は本発明に係るプリンター１を前方側から見た外観斜視図、図３〜図５はプリンター１の用紙搬送経路を示す側断面図、図６はプリンター１を後方側から見た外観斜視図、図７はプリンター１の両面ユニット１２を取り外して後方側から見た外観斜視図である。
【００３１】
また、図８及び図９は光学センサー取付部位の斜視図、図１０はスキャナーユニット３の上部筐体３ａを取り外してケーブルの配線経路を上方から見た斜視図である。更に、図１１は両面ユニット１２の斜視図、図１２及び図１３は両面ユニット１２に形成された溝部１７ａ及び開口部１７ｂの斜視図、図１４は両面ユニット１２の側断面図、図１５は制御系統の一部を示すブロック図である。
【００３２】
以下、図１〜図５を参照しつつ本発明の記録装置の一実施形態であるプリンター１の全体構成について概説する。図１及び図２においてプリンター１は、媒体の一例としての記録用紙にインクジェット記録を行う記録部２の上部にスキャナーユニット３を備えており、即ちインクジェット記録機能に加えてスキャナー機能を備える複合機として構成されている。
【００３３】
スキャナーユニット３は、記録部２に対して回動可能に設けられており、回動することにより、閉じた状態（図１）と開いた状態（不図示）とをとり得る。
スキャナーユニット３において上部のカバー４は開閉可能な原稿カバーであり、当該カバー４を開放することにより、スキャナーユニット３の原稿台３ａ（図３〜図５において図示）が表れる様になっている。
【００３４】
装置前面において符号５は、電源ボタンや各種印刷設定・記録実行を行う操作ボタン、印刷設定内容や印刷画像のプレビュー表示などを行う表示部、等を備えて成る操作パネルである。
【００３５】
記録部２の後方上部において符号６は開閉可能な手差しカバーであり、図２に示す様にこの手差しカバー６を開くことにより、手差し供給経路（後述）を利用した記録用紙の手差しでの給紙が行える様になっている。手差しカバー６を開くと、後述するペーパーサポート１３ａ、１３ｂが展開可能となる。手差しカバー６は、回動軸６ａ（図６）を中心に、後述する両面ユニット１２に対し回動可能に設けられている。
【００３６】
続いて、図３〜図５を参照しつつプリンター１の用紙搬送経路について更に詳しく説明する。本実施形態に係るプリンター１は、装置底部に下段側トレイ４０及び上段側トレイ４５を備え、当該下段側トレイ４０或いは上段側トレイ４５から記録用紙を１枚ずつ給送する。
【００３７】
複数枚の記録用紙を収容可能な下段側トレイ４０及び上段側トレイ４５は、媒体を収容する媒体収容部を構成し、即ちプリンター１の媒体収容部は複数の媒体収容トレイにより構成される。下段側トレイ４０と、その上部に設けられる上段側トレイ４５は、それぞれが独立して記録部２に対して着脱可能となっている。また、一方側が未装着状態であっても、他方側が装着されていれば、当該装着されているトレイから記録用紙を送り出すことができる様になっている。
【００３８】
図３〜図５においては、下段側トレイ４０に収容される用紙を符号Ｐ１で、上段側トレイ４５に収容される用紙を符号Ｐ２で、それぞれ示している（以下、特に区別する必要がない場合は「用紙Ｐ」と言う）。
尚、上段側トレイ４５は、突き当たり位置、即ち給送可能位置（図３〜図５）と、退避位置(不図示）との間をスライド（変位）する。上記給送可能位置では、上段側トレイ４５から用紙Ｐ２が給送可能となる。上記退避位置では、下段側トレイ４０から用紙Ｐ１が給送可能となる。
【００３９】
符号４４は下段側トレイ４０に設けられた開閉可能なカバーであり、図３〜図５に示す様に当該カバー４４を開くことにより、下段側トレイ４０、上段側トレイ４５、および排紙受けトレイ８、のこれらが装置前面側に露呈する様に構成されている。尚、図１ではカバー４４は図示を省略している（下段側トレイ４０を取り外した状態）。
【００４０】
不図示の駆動モーターによって回転駆動される、給送手段を構成する給送ローラー（ピックアップローラーとも呼ばれる）９は、回動軸１１を中心に揺動するローラー支持部材１０に設けられており、上段側トレイ４５が上記退避位置にあるときは、下段側トレイ４０に収容された用紙Ｐ１の最上位のものと接して回転することにより、当該最上位の用紙Ｐ１を下段側トレイ４０から送り出す。
【００４１】
また上段側トレイ４５が突き当たり位置（給送可能位置：図３）にあるとき、給送ローラー９は上段側トレイ４５に収容された用紙Ｐ２の最上位のものと接して回転することにより、当該最上位の用紙Ｐ２を上段側トレイ４５から送り出す。
【００４２】
続いて記録部２において下段側トレイ４０及び上段側トレイ４５の先端と対向する位置には分離斜面２３が設けられており、下段側トレイ４０が装着された状態では、下段側トレイ４０の先端に設けられたストッパー４１が、分離斜面２３より奥方に入り込み、下段側トレイ４０に収容された用紙先端が分離斜面１６と当接可能な状態となる。
また上段側トレイ４５においては、当該上段側トレイ４５が給送可能位置に位置決めされた状態において、上段側トレイ４５の先端に設けられたストッパー（不図示）が、分離斜面２３より奥方に入り込み、上段側トレイ４５に収容された用紙先端が分離斜面２３と当接可能な状態となる。
【００４３】
そして下段側トレイ４０或いは上段側トレイ４５から送り出される用紙Ｐは、その先端が分離斜面２３に接しながら下流側に進むことで、給送されるべき最上位の用紙Ｐと次位以降の用紙Ｐとの分離が行われる。
【００４４】
尚、用紙給送経路において分離斜面２３の位置には用紙検出センサー３８が設けられており、この位置において下段側トレイ４０及び上段側トレイ４５から送り出される用紙Ｐの先端を検出することが可能となっている。従って給送時のトレイが異なることに起因する給送経路長の差異や、収容された用紙枚数の多少が起因する給送経路長の差異に拘わらず、即ち条件によって異なる給送経路長に拘わらず、用紙先端位置を把握でき、これにより適切な給送制御を行える様になっている。尚、図３〜図５において光学センサー３８と、後述する光学センサー２１、３９は、図示の便宜上、配置位置を示す三角マークとして描いている。
【００４５】
分離斜面２３の先には、図示しないモーターによって回転駆動される中間ローラー２４が設けられており、この中間ローラー２４によって用紙Ｐは湾曲反転させられ、装置前方側へと向かう。尚、符号２５Ａ、２５Ｂ、２５Ｃは従動回転可能な従動ローラーであり、少なくとも用紙Ｐは、従動ローラー２５Ａと中間ローラー２４とによってニップされ、また従動ローラー２５Ｂと中間ローラー２４とによってニップされて、下流側へと送られる。
【００４６】
中間ローラー２４の先には、図示しないモーターによって回転駆動される搬送駆動ローラー２６と、該搬送駆動ローラー２６に接して従動回転する、ローラー支持部材３６によって支持される搬送従動ローラー２７とが設けられており、これらローラーによって用紙Ｐが、記録手段を構成する記録ヘッド３０の下へと送られる。
【００４７】
尚、中間ローラー２４の下方には符号３３で示す案内部材が設けられている。この案内部材３３は中間ローラー２４と、搬送駆動ローラー２６との間の用紙搬送経路を形成する。また符号３４は案内部材３３と搬送駆動ローラー２６との間の用紙搬送経路を形成する案内部材である。また符号２５Ｄは、両面印刷の為に搬送駆動ローラー２６から上流側（図２〜図５において左側）にスイッチバックされる用紙Ｐを中間ローラー２４との間でニップする従動ローラーである。
【００４８】
また用紙搬送経路においてローラー支持部材３６の位置、具体的には搬送駆動ローラー２６と搬送従動ローラー２７とによる用紙ニップ位置の上流側近傍には、用紙検出センサー３９が設けられており、この位置において用紙Ｐの先端或いは後端の通過を検出することが可能となっている。
【００４９】
続いてインクを吐出する、記録手段としての記録ヘッド３０はキャリッジ２９の底部に設けられ、当該キャリッジ２９は図示しないモーターによって主走査方向（図３〜図５において紙面表裏方向）に往復動する様に駆動される。
【００５０】
記録ヘッド３０と対向する位置には支持部材２８が設けられ、当該支持部材２８によって、用紙Ｐと記録ヘッド３０との間の間隔が規定される。そして支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、排紙受けトレイ８へ向けて排出される。
【００５１】
上段側トレイ４５の上部に位置する排紙受けトレイ８は、図示しないモーターによって記録部２に収納された状態（不図示）と、記録部２の前方側に突出した状態（図３〜図５）と、を取りうる様に設けられており、記録部２の前方側に突出した状態となることで、記録が行われて排出される記録用紙を受けることができる。
【００５２】
上述した給送ローラー９、中間ローラー２４、搬送駆動ローラー２６、キャリッジ２９、記録ヘッド３０、排出駆動ローラー３１、のこれら制御対象は、図１５に示す、制御部５０によって制御される記録機構部５１を構成する。制御部５０は、用紙搬送経路の各所に配置された、用紙検出センサー３８、２１、３９、の各検出手段から受ける検出信号に基づき、用紙位置や用紙サイズを把握することができる。また、紙ジャムが生じた場合、いずれの用紙検出センサー間において紙ジャムが生じているかを把握することができる。従って、ユーザーに対し適切なアラートを発することができる。
【００５３】
尚、用紙検出センサー３８、２１、３９、のこれらは、本実施形態においては光学センサーである。図１５を参照しつつ一例として用紙検出センサー２１の構成を説明すると、光学センサー２１は発光部２１ａと受光部２１ｂとを備えて成り、発光部２１ａは用紙に対して検出光を放射し、受光部１６ｂはこの放射光のうち用紙又は用紙搬送経路から反射した成分を受光する。
【００５４】
プリンター１の制御部５０は、受光部２１ｂにおける受光強度を示す信号を光学センサー２１から受けることにより、用紙先端或いは後端の通過を検知することができる。このため、用紙搬送経路において光学センサー２１と対向する部分は、反射率が用紙と大きく異なる様に、例えば黒色を成している。
【００５５】
以上が用紙搬送経路上の主な構成要素であるが、用紙搬送経路は上述した下段側トレイ４０或いは上段側トレイ４５から送り出された用紙Ｐが搬送される用紙搬送経路（図３において破線Ｒ１）のほか、第１面（おもて面）に記録が行われた用紙Ｐを反転させる反転搬送路（図４において破線Ｒ２）と、手差し案内部７を介して手差し供給される手差し供給路（図５において破線Ｒ３）と、を有している。
【００５６】
反転搬送路Ｒ２は、搬送駆動ローラー２６を逆転駆動し、記録時に用紙後端だった側を先端にして中間ローラー２４と従動ローラー２５Ｄとの間に向けて搬送し、そして中間ローラー２４により反転させ、再び搬送駆動ローラー２６と搬送従動ローラー２７との間に送る際の搬送路である。
【００５７】
手差し供給路Ｒ３は、後方上部の手差しカバー６を開放することにより表れる手差し案内面部７と、この手差し案内部７により案内される用紙Ｐを支持するペーパーサポート１３ａ、１３ｂと、のこれらにより形成される供給路である。
【００５８】
手差し供給路Ｒ３は、ユニット体としての両面ユニット１２によりその一部が形成される。また両面ユニット１２は、反転搬送路Ｒ２も形成する。以下、両面ユニット１２について更に詳しく説明する。
両面ユニット１２は、記録部２及びスキャナーユニット３を備える装置本体１Ａに対して着脱可能に構成されている。そのため、両面ユニット１２において用紙が詰まってしまった際に、容易に用紙を除去することが可能となる。図６及び図７に示す様に両面ユニット１２は装置本体１Ａの背面側に設けられ、装着状態において装置本体１Ａの背面を構成する。
【００５９】
両面ユニット１２の背面を構成する背面板１５の上部両側にはロック解除つまみ１４が設けられている。この２つのロック解除つまみ１４を互いに近づく方向にスライドさせることにより、図示を省略するロック機構、即ち両面ユニット１２を装置本体１Ａにロックする機構、によるロックを解除して、図７に示す様に取り外すことができる。
【００６０】
図７において符号２ａは、装置本体１Ａにおいて両面ユニット１２を装着する装着領域である。両面ユニット１２を取り外すことにより、上述した案内部材３３が露呈する。即ち、用紙搬送経路が露呈する。案内部材３３は上述した３つの用紙搬送経路全てを構成するので、両面ユニット１２を取り外すことで、上述した３つの用紙搬送経路に共通する搬送経路部分が露呈することとなる。
【００６１】
両面ユニット１２は、上述した手差しカバー６と、中間ローラー２４と、従動ローラー２５Ａ〜２５Ｄと、手差し案内部７と、背面板１５と、ペーパーサポート１３ａ、１３ｂと、を備えて成る。ペーパーサポート１３ａ、１３ｂは背面板１５の内側に収納されており、垂直方向に引き出し可能となっている。ペーパーサポート１３ｂはペーパーサポート１３ａの内部に収納されており、垂直方向に引き出し可能となっている。ペーパーサポート１３ａは、引き出した状態で図２及び図１４に示す様に傾斜姿勢をとれる様になっており、手差し供給される用紙Ｐを支持する。
【００６２】
手差し案内部７の幅方向両側には図１１に示す様にエッジガイド１６ａ、１６ｂが設けられており、手差し案内部７、ペーパーサポート１３ａ、１３ｂ、のこれらによって支持される用紙は、その両側エッジがエッジガイド１６ａ、１６ｂによりガイドされる。
【００６３】
次いで、両面ユニット１２が装着される装着領域２ａについて説明する。装着領域２ａの入口上部はスキャナーユニット３により構成されており、幅方向中央部には光学センサー２１を取り付けるセンサー取付部材２０が設けられている。
【００６４】
センサー取付部材２０は、図８、図９に示す様にスキャナーユニット３の下部筐体３ｂに対して取り付けられ、その先端部２０ａに、光学センサー２１が取り付けられている。光学センサー２１はセンサー取付部材２０の先端部２０ａに形成された開口部を介して、装着状態にある両面ユニット１２に対し検出光を放射し、また反射光を受光する。センサー取付部材２０は、その先端部２０ａが両面ユニット１２の装着領域２ａに向けて突出しており、即ち光学センサー２１の構成部位の少なくとも一部が装着領域２ａに向けて突出している。
【００６５】
図９は図８に示した状態から、スキャナーユニット３の原稿カバー４と上部筐体３ａを取り外した状態を示しており、光学センサー２１の取付位置から信号線としてのフレキシブルフラットケーブル（以下「ＦＦＣ」）２２が、図９の右方向に配線されている。図１０において符号３ｃはスキャナーユニット３のイメージセンサー（不図示）をその走査方向に駆動するモーターである。このモーター３ｃを駆動する為の電気信号及びイメージセンサー（不図示）から制御部５０へ送信する読取データを送信する為のフレキシブルフラットケーブル（以下「ＦＦＣ」）３ｄが、スキャナーユニット３から下方に延び、装置本体１Ａ内部に設けられた回路基板（制御部５０を構成する）へ配線される。尚、図１０ではスキャナーユニット３の一部のみを示し装置本体１Ａは図示していない。
【００６６】
光学センサー２１の取付位置から配線されるＦＦＣ２２は、ＦＦＣ３ｄと合流し、このＦＦＣ３ｄとともに装置本体１Ａ内部の制御部５０へと接続される。即ち、スキャナーユニット３と装置本体１Ａとを電気的に接続するＦＦＣ３ｄの配線経路を利用してＦＦＣ２２が配線されるので、光学センサー２１の信号線を配線するための専用の経路を設ける必要がなく、装置構成の複雑化を回避できるとともに、装置の組立作業性が向上する。
【００６７】
次に、両面ユニット１２の上部に設けられた上部カバー１７には、図１１〜図１４に示す様に溝部１７ａと、開口部１７ｂとが設けられる。
開口部１７ｂは、両面ユニット１２が装置本体１Ａに装着された際に光学センサー２１と対向する開口部であり、光学センサー２１は、この開口部１７ｂを介して、両面ユニット１２内の用紙搬送経路を通る用紙Ｐを検出できる様になっている。
【００６８】
即ち、両面ユニット１２内を搬送される用紙を検出する第１検出手段としての光学センサー２１を両面ユニット１２に設けず、装置本体１Ａに設ける構成である為、両面ユニット１２と装置本体１Ａとの間で電気的な接点を設ける必要がなく、装置の信頼性を向上させることができる。
【００６９】
加えて光学センサー２１が装置本体１Ａ側に設けられているので、両面ユニット１２の側に光学センサー２１を設ける為のスペースが必要ない。このため、特に両面ユニット１２の上部に光学センサー２１を設ける構成に比して、装置本体１Ａ側の高さ方向寸法が大きくなることを回避することができる。
【００７０】
即ち、両面ユニット１２の上部に光学センサー２１を設ける場合には、光学センサー２１の保護の為に、光学センサー２１を覆うカバーを設けることが好ましいが、この様なカバーを設けると、装置本体１Ａにおける両面ユニット１２の装着領域２ａ上部に、カバーを受け入れる領域が必要となる。一方、装置本体１Ａの上部にスキャナーユニット３が設けられるので、上記の様なカバーを受け入れる領域とスキャナーユニット３の占有領域とが干渉し、装置の大型化を招くこととなる。しかしながら、上述の通り、光学センサー２１は装置本体１Ａ側に設けられるので、その様な装置の大型化を回避できる。
【００７１】
また本実施形態では、両面ユニット１２は、給送前の用紙の少なくとも一部を支持する媒体支持面としての手差し案内部７を備え、両面ユニット１２が装置本体１Ａに装着された状態において、手差し案内部７を介して記録ヘッド３０の側へと供給される用紙の供給経路Ｒ３が形成される。従って、両面ユニット１２を取り外すことにより手差し供給路Ｒ３も露呈し、ジャム処理作業が容易となる。
【００７２】
また、装置本体１Ａにおいてセンサー取付部材２０の先端部２０ａは、両面ユニット１２を装着する装着領域２ａに向けて突出するが、両面ユニット１２の上部には、当該両面ユニット１２の着脱方向に沿って、センサー取付部材２０の先端部２０ａを受け入れる溝部１７ａが形成されている。図１３と図１４は、実際には装置本体１Ａ側に取り付けられるセンサー取付部材２０を、説明の便宜上両面ユニット１２とともに描いたものであり、両面ユニット１２が装置本体１Ａに装着された際の両者の位置関係を示すものである。
【００７３】
図１３、図１４に示す様に、両面ユニット１２が装置本体１Ａに装着される際、溝部１７ａ内をセンサー取付部材２０の先端部２０ａを通り、装着状態では先端部２０ａに設けられた光学センサー２１が、両面ユニット１２の開口部１７ｂに臨んだ状態となる。
【００７４】
センサー取付部材２０の先端部２０ａと溝部１７ａとの関係により、両面ユニット１２を装着する際に、先端部２０ａと溝部１７ａとの係合が両面ユニット１２の装着を案内するように作用する。これにより、両面ユニット１２を適切な位置に装着することができる。
【００７５】
また本実施形態において両面ユニット１２内の用紙を検出する検出手段は、開口部１７ｂに対して検出光を放射する発光部２１ａ及び開口部１７ｂ内からの反射光を受光する受光部２１ｂを備えた光学センサー２１であり、即ち非接触式の検出手段であって、開口部１７ｂを介して用紙搬送経路に検出レバーを垂下させる構成ではないことから、両面ユニット１２の着脱時に光学センサー２１を破損させる虞がない。
【００７６】
続いて、光学センサー２１による用紙検出位置について説明する。光学センサー２１は、手差し案内部７を介して供給される手差し供給路Ｒ３において最も上流側に位置する、用紙をニップするローラー対、即ち反転ローラー２４と従動ローラー２５Ｂに対して、給送方向上流側の位置において用紙を検出する。図１４において線Ｓ１は、光学センサー２１による用紙検出位置を示している。
【００７７】
これにより、以下の様な作用効果が得られる。即ち、コシの弱い薄手の用紙はローラー対によるニップ位置を通過できず、その結果用紙を供給できない虞がある。しかしながら、光学センサー２１は、手差し案内部７を介して供給される手差し供給路Ｒ３において最も上流側に位置するローラー対に対して用紙給送方向上流側の位置において用紙を検出するので、コシの弱い薄手の用紙が供給された場合でも、確実にそれを検出することができる。
そして用紙検出に基づき、反転ローラー２４を駆動すれば、用紙は下流側に確実に送られるので、コシの弱い薄手の用紙でも確実に供給することができる。
【００７８】
尚、光学センサー２１が手差し供給路Ｒ３上の用紙を検出した際、制御部５０は、光、音、或いはその他ユーザーインターフェース（コンピューター上で動作するプリンタドライバ、或いは操作パネル５に設けられた表示パネル）を利用して、装置側が用紙を検出したことをユーザーに対して知らせることもできる。これによりユーザーに対し、用紙が問題なく差し入れられた旨の安心感を与えることができる。
【００７９】
また、例えば手差し供給路Ｒ３から用紙を差し入れるのが不適切な場合、例えば記録実行中（但し記録実行中の用紙後端は光学センサー２１を通過済み）において、手差し供給路Ｒ３を介して用紙が差し入れられ、その用紙を光学センサー２１が検出した場合には、制御部５０は用紙搬送動作を中止することができる。これにより、差し入れられた用紙が中間ローラー２４の回転を介して搬送経路内に供給されることを防止できる。
【００８０】
またその際、用紙搬送動作の中止に加え、上述したユーザーインターフェースを利用して、ユーザーに対してエラーメッセージや、差し入れられた用紙の除去を促す旨のメッセージを出すことができる。
【００８１】
上記実施形態は、その他種々の変形ができる。例えば、上述した開口部１７ｂは、孔形状であるが、その他にも切欠き形状（少なくとも一辺が開放となっている）としても良い。あるいは、透明な窓部であってもよい。光学式センサー２１であれば透明な窓部の下部に位置する用紙を検出することが可能である。
【００８２】
また、本実施形態において両面ユニット１２内の用紙を検出する検出手段は光学センサー２１の代わりに、用紙の挿入により回動するレバー式の検出手段を用いても良い。この構成によれば、センサー部分が汚れて検知性能が低下する虞がない。
【００８３】
また、両面ユニット１２は、図１６に示す様に構成することもできる。図１６において、符号１８は、開口部１７ｂの下を通過する記録用紙を開口部１７ｂの外側に向けて付勢する付勢部１８を示している。この様に付勢部１８によって開口部１７ｂの下を通過する記録用紙を開口部１７の外側に向けて付勢するので、開口部１７ｂに対する記録用紙の通過位置がばらつき難く、即ち光学式センサー２１と記録用紙との距離がばらつき難いので、開口部１７ｂの位置を通過する記録用紙を光学センサー２１によって適切に検出することができる。
【００８４】
更に、記録を行う記録ヘッドは、キャリッジによって往復移動されるタイプのものではなく、固定タイプ、いわゆるラインヘッド型のものを用いてもよい。
また記録ヘッドから吐出する液体であるインクの供給元は、キャリッジに装着したインクカートリッジであっても良いし、キャリッジ外部に設けたインク収容体であっても良い。キャリッジ外部のインク収容体は、記録装置の外観を構成する筐体の内部に設けても良いし、筐体の外部に設けても良い。キャリッジにインクカートリッジを装着するタイプであると、カートリッジ内のインク容量に制約があるが、キャリッジ外部にインク収容体を設けることで、インク容量がより多くなり、より多くの回数の記録をすることが可能となる。
【００８５】
なお、筐体外部から記録ヘッドへインクを供給する際には、インクを供給するためのインク供給チューブを筐体内部に引き回す必要がある。よって、筐体に孔や切欠きを設け、インク供給チューブはその孔や切欠きを通すとよい。あるいは筐体に開閉可能に設けられたスキャナーユニットやカバーなどの開閉体が筐体に対して完全に閉じないようにボスなどを立て、ボスによって形成された隙間を利用してチューブを筐体内部に引き回しても良い。このようにすれば、インク供給チューブの流路におけるインクの供給を確保できる。
【００８６】
図１７はその一例であり、他の実施形態に係るプリンターを模式的に示した斜視図である。図１７において符号１００はインクジェットプリンター、符号１０２は記録部、符号１０３は記録部１０２に対して開閉可能なスキャナーユニット、符号１０５は操作部（装置前面側となる）、符号１０６はインク収容体、符号１０７はインク収容体１０６から記録ヘッド（図１７では不図示）へインクを供給するインク供給チューブを示している。記録部１０２の上部にはボス（突起）１０９が設けられており、このボス１０９により、スキャナーユニット１０３が記録部１０２に対して完全な閉状態とならず、隙間１０８が形成された状態となる。
【００８７】
インク供給チューブ１０７は、隙間１０８からプリンター内部に入り込んでおり、これによりスキャナーユニット１０３がインク供給チューブ１０７のインク流路を遮断しない様に構成されている。この様にキャリッジ外部に設けたインク収容体１０６を利用することで、インク容量がより多くなり、より多くの回数の記録を行うことができる。
【００８８】
また、図１８に示すように、手差し給紙経路Ｒ３において、中間ローラー２４と合流する箇所よりも上流側において、光学センサー２１とは異なる光学センサー１２１を設けても良い。光学センサー１２１は光学センサー２１と同様に装置本体１Ａに設けられている。便宜条、光学センサー１２１は、配置位置を示す三角マークとして描いている。
【００８９】
この構成により、下段側トレイ４０あるいは上段側トレイ４５から給紙された用紙Ｐが下流側に搬送される際に、ユーザーが誤って手差し供給路Ｒ３から用紙Ｑを挿入することがあった場合に、用紙Ｑの先端が光学センサー１２１を通過した際にはユーザーに注意を促したり、中間ローラー２４の回転を止めたり、あるいはその両方を実行することが可能である。その結果、用紙Ｐと用紙Ｑが衝突による紙ジャムを防いだり、重送することを防いだりすることができる。なお、センサー１２１は光学センサーに限らず、用紙の通過を検出が出来るものであればよく、回動するレバー式の検出手段などを用いても良い。
【００９０】
また、ユーザーに注意を促す方法としては、音声であったり、警告音であったり、モニターにメッセージを表示したり、ＬＥＤなどの灯りを点灯させる方法や振動など、注意を向けさせる方法であれば良い。たとえば、用紙Ｑを再び手前に引き出すような注意をユーザーに促した場合には、用紙Ｑの後端が光学センサー１２１を再び通過した際には中間ローラー２４を再び駆動して、用紙Ｐの搬送および印刷を開始するようにしても良い。
【００９１】
また、両面ユニット１２は、装置本体１Ａの背面側に設けられ、装着状態において装置本体１Ａの背面を構成する形態に限られない。たとえば、装置本体側に開閉可能に装着されるカバーが装置本体１Ａの背面を構成するとともにこのカバーが閉状態において反転搬送路の外側を構成する。そして、このカバーが開状態の際に、両面ユニットは装置本体１Ａに対して着脱自在に構成され、両面ユニットが装置本体１Ａに装着された際に、この両面ユニットは反転搬送路の内側の経路を構成するようにしてもよい。すると、カバーが閉状態で、両面ユニットが装置本体１Ａに装着された状態において反転搬送路が構成され、記録用紙は反転搬送路を通過させることが出来る。
【００９２】
このような構成にすることにより、両面ユニットに反転搬送路の内側の経路を構成する機能だけを持たせるに留められ、装置本体１Ａが大型化しても装置本体１Ａに対して着脱する部材の大型化を抑制することが可能である。
【符号の説明】
【００９３】
１  インクジェットプリンター、１Ａ  装置本体、２  記録部、２ａ  ユニット装着領域、３  スキャナーユニット、３ａ  上部筐体、３ｂ  下部筐体、３ｃ  モーター、３ｄ  フレキシブルフラットケーブル、４  原稿カバー、５  操作パネル、６  手差しカバー、７  手差し案内部、８  排紙受けトレイ、９  給送ローラー、１０  ローラー支持部材、１１  回動軸、１２  両面ユニット、１３ａ、１３ｂ  ペーパーサポート、１４  ロック解除つまみ、１５  背面板、１６ａ、１６ｂ  エッジガイド、１７  上部カバー、１７ａ  溝部、１７ｂ  開口部、２０  センサー取付部材、２０ａ  先端部、２１、１２１  用紙検出センサー、２１ａ  発光部、２１ｂ  受光部、２２  フレキシブルフラットケーブル、２３  分離斜面、２４  中間ローラー、２５Ａ〜２５Ｄ  従動ローラー、２６  搬送駆動ローラー、２７  搬送従動ローラー、２８  支持部材、２９  キャリッジ、３０  記録ヘッド、３１  排出駆動ローラー、３２  排出従動ローラー、３３  案内部材、３４  案内部材、３５  仕切板、３６  ローラー支持部材、３８  用紙検出センサー、３９  用紙検出センサー、４０  下段側トレイ、４０ａ  底面、４１  ストッパー、４４  カバー、４５  上段側トレイ、４５ａ  底面、５０  制御部、５１  記録機構部、Ｐ、Ｐ１、Ｐ２  記録用紙。
【図１】
2014208428.tif 000003
【図２】
2014208428.tif 000004
【図３】
2014208428.tif 000005
【図４】
2014208428.tif 000006
【図５】
2014208428.tif 000007
【図６】
2014208428.tif 000008
【図７】
2014208428.tif 000009
【図８】
2014208428.tif 000010
【図９】
2014208428.tif 000011
【図１０】
2014208428.tif 000012
【図１１】
2014208428.tif 000013
【図１２】
2014208428.tif 000014
【図１３】
2014208428.tif 000015
【図１４】
2014208428.tif 000016
【図１５】
2014208428.tif 000017
【図１６】
2014208428.tif 000018
【図１７】
2014208428.tif 000019
【図１８】
2014208428.tif 000020